(57)【特許請求の範囲】
【請求項１】
第１の不可視画像及び第２の不可視画像を備える偽造防止印刷物において、
印刷基材に第１の幅と高さを有する第１の凸状の線と前記印刷基材に第２の幅と高さを有する第２の凸状の線が、同一のピッチでそれぞれ同一方向に配列され、
前記第１の凸状の線のピッチの位相と前記第２の凸状の線のピッチの位相は、ずれを有して前記第１の不可視画像が形成され、
前記第１の不可視画像は、第１の背景画像部と第１の潜像画像部を有し、
前記第１の背景画像部は、前記第１の凸状の線又は前記第２の凸状の線のいずれか一方の線によって形成され、前記第１の潜像画像部は、他方の線によって形成され、
前記第１の凸状の線の少なくとも一部上及び前記第２の凸状の線の少なくとも一部上に、複数の画線が配列され、
前記複数の画線は、第１の方向及び第２の方向に複数配列して形成され、
前記第１の方向に配列される前記複数の画線は、前記第１の凸状の線及び前記第２の凸状の線と同一の方向に同一のピッチで配列され、
前記第２の方向に配列される前記画線は、所定のピッチで配列された第１の画線と第２の画線に区分けされ、前記第１の画線のピッチの位相と前記第２の画線のピッチの位相は、ずれを有して前記第２の不可視画像が形成され、
前記第２の不可視画像は、第２の背景画像部と第２の潜像画像部を有し、
前記第２の背景画像部は、前記第１の画線又は前記第２の画線のいずれか一方の画線によって形成され、前記第２の潜像画像部は、他方の画線によって形成されたことを特徴とする偽造防止印刷物。
【請求項２】
前記第２の方向に配列される前記画線は、前記画線同士の中心又は略中心を接続する接続画線を有し、前記接続画線の画線幅は、前記画線の画線幅よりも狭いことを特徴とする請求項１記載の偽造防止印刷物。
【請求項３】
前記第１の画線及び前記第２の画線は、マトリックス状に縦横隙間なく配置された第１の画線ユニット内及び第２の画線ユニット内に形成され、
前記第１の画線ユニット及び前記第２の画線ユニットは同一の大きさから成り、
前記第１の画線ユニット内に前記第１の画線が形成され、
前記第２の画線ユニット内に前記第２の画線が形成され、
前記第１の画線ユニット内に配置される前記第１の画線と、前記第２の画線ユニット内に配置される前記第２の画線の位置関係は、異なる位置に配置されることで位相ずれを有することを特徴とする請求項１記載の偽造防止印刷物。
【請求項４】
前記接続画線、前記第１の画線及び前記第２の画線は、マトリックス状に縦横隙間なく配置された第１の画線ユニット内及び第２の画線ユニット内に形成され、
前記第１の画線ユニット及び前記第２の画線ユニットは同一の大きさから成り、
前記第１の画線ユニット内に前記接続画線及び前記第１の画線が形成され、
前記第２の画線ユニット内に前記接続画線及び前記第２の画線が形成され、
前記第１の画線ユニット内及び前記２の画線ユニット内に配置される前記接続画線の位置は、前記ユニットの縦方向の１／２の位置からユニットの横方向に直線状に形成され、
前記第１の画線ユニット内に配置される前記第１の画線と、前記第２の画線ユニット内に配置される前記第２の画線の位置関係は、異なる位置に配置されることで位相ずれを有することを特徴とする請求項２記載の偽造防止印刷物。
【請求項５】
前記第２の不可視画像の輪郭領域は、あらかじめ前記第２の不可視画像が視認されないように、前記第１の画線の半分又は略半分の画線面積から成る第３の画線と、前記第２の画線の半分又は略半分の画線面積から成る第４の画線が形成されたことを特徴とする請求項１乃至４いずれか一項記載の偽造防止印刷物。
【請求項６】
前記第１の画線、前記第２の画線、前記第３の画線及び前記第４の画線は、マトリックス状に縦横隙間なく配置された第１の画線ユニット内、第２の画線ユニット内、第３の画線ユニット内及び第４の画線ユニット内に形成され、
前記第１の画線ユニット及び前記第２の画線ユニットは同一の大きさから成り、
前記第３の画線ユニット及び前記第４の画線ユニットは、前記第１の画線ユニット及び前記２の画線ユニットに対して、横方向に２倍の大きさの画線ユニットから成り、
前記第１の画線ユニット内に前記第１の画線が形成され、
前記第２の画線ユニット内に前記第２の画線が形成され、
前記第３の画線ユニット内に前記第１の画線及び前記第３の画線が形成され、
前記第４の画線ユニット内に前記第１の画線、前記第２の画線及び前記第４の画線が形成されていることを特徴とする請求項５記載の偽造防止印刷物。
【請求項７】
前記第２の方向に配列される前記画線は、前記画線同士の中心又は略中心を接続する接続画線を有し、前記接続画線の画線幅は、前記画線の画線幅よりも狭く、
前記接続画線、前記第１の画線、前記第２の画線、前記第３の画線及び前記第４の画線は、マトリックス状に縦横隙間なく配置された第１の画線ユニット内、第２の画線ユニット内、第３の画線ユニット内及び第４の画線ユニット内に形成され、
前記第１の画線ユニット及び前記第２の画線ユニットは同一の大きさから成り、
前記第３の画線ユニット及び前記第４の画線ユニットは、前記第１の画線ユニット及び前記２の画線ユニットに対して、横方向に２倍の大きさの画線ユニットから成り、
前記第１の画線ユニット内に前記接続画線及び前記第１の画線が形成され、
前記第２の画線ユニット内に前記接続画線及び前記第２の画線が形成され、
前記第３の画線ユニット内に前記接続画線、前記第１の画線及び前記第３の画線が形成され、
前記第４の画線ユニット内に前記接続画線、前記第１の画線、前記第２の画線及び前記第４の画線が形成されていることを特徴とする請求項５記載の偽造防止印刷物。
【請求項８】
前記第１の画線ユニット内、前記第２の画線ユニット内、前記第３の画線ユニット内及び前記４の画線ユニット内に配置される前記接続画線の位置は、前記ユニットの縦方向の１／２の位置からユニットの横方向に直線状に形成され、
前記第１の画線ユニット内に配置される前記第１の画線の位置は、前記第１の画線ユニットの中心に対して左側に配置され、
前記第２の画線ユニット内に配置される前記第２の画線の位置は、前記第２の画線ユニットの中心に対して右側に配置され、
前記第３の画線ユニット内に配置される前記第１の画線及び前記第３の画線の位置は、前記第３の画線ユニットの中心に対して左側に前記第３の画線が配置され、右側に前記第１の画線が配置され、
前記第４の画線ユニット内に配置される前記第１の画線、前記第２の画線及び前記第４の画線の位置は、前記第４の画線ユニットの中心に対して左側に前記第１の画線が配置され、右側に前記第２の画線が配置され、中心又は略中心に前記第４の画線が配置されていることを特徴とする請求項７記載の偽造防止印刷物。
【請求項９】
前記第１の不可視画像は、前記第１の凸状の線及び前記第２の凸状の線が連続線で形成されたレリーフ状であることを特徴とする請求項１乃至８いずれか一項記載の偽造防止印刷物。
【請求項１０】
前記第１の凸状の線及び前記第２の凸状の線が、透明インキ、前記印刷基材と同色のインキ、エンボス又はすき入れによって形成されたことを特徴とする請求項１乃至９いずれか一項記載の偽造防止印刷物。
【発明の詳細な説明】
【技術分野】
【０００１】
本発明は、銀行券、株券、債券等の有価証券、各種証明書及び重要書類等の偽造防止又は複製防止が必要とされる偽造防止印刷物に関するものである。
【背景技術】
【０００２】
一般的に証明書類の貴重印刷物では、偽造防止効果を与えるために様々な技術が適用されているが、近年、カラー複写機の高画質化及びカラー製版技術のコンピュータ化に伴い、証明書類の偽造技術が多様化する傾向にある。これに伴う証明書類の偽造防止策も、高度化することによって対応してきた。しかし、その一方で、偽造防止策に費やす製造コストも上がり、偽造防止効果を確認する環境を得るために特殊な機械器具から成る専用設備を導入する等、真偽判定にて高コストとなる場合があった。
【０００３】
低コストで真偽判定を可能にする有用な方法に、印刷物上に判別具を重ねて行う技術がある。つまり、不可視画像が施されている印刷物に判別具を重ねることによって、不可視画像を可視画像として発現させるもので、この判別具の主な形態は、平行線スクリーンを印刷した透明シート（以下「万線フィルタ」という。）であったり、レンチキュラーレンズであったりする。この判別具を用いて不可視画像を発現させる技術は、主に２種類の方法があり、点位相変調（Dot phase modulation）と線位相変調（Line phase modulation）とが存在する。
【０００４】
このような万線フィルタから成る判別具を重ね合わせることにより潜像画像が発現する印刷物とその真偽判別方法としては、万線（又は網点）画線で印刷した背景画像部と、背景画像部と異なる位相の万線（又は網点）画線で印刷した潜像画像部とを有する印刷物が存在する。当該印刷物の背景画像部と潜像画像部は、区分けして視認することが一見困難であるが、万線フィルタを印刷物に所定の位置で重ね合わせた場合には、背景画像部と潜像画像部を区分けして視認できる方法が知られている。
【０００５】
点位相変調（Dot phase modulation）の一例としては、第１の方向と第２の方向に位相変調されたパターンが形成された印刷物と、当該印刷物の第１の方向と万線フィルタの万線状パターンの方向とを一致するように前記万線フィルタを重ね合わせることにより形成される第１の多階調画像と、前記万線フィルタの重ね合わせる角度を前記印刷物の第２の方向に一致するように変えると第２の多階調画像が形成された印刷物及び画像形成法がある（例えば、特許文献１参照）。
【０００６】
また、点位相変調（Dot phase modulation）の一例としては、基材上に、レンズアレイ（ハエの目レンズ、ハニカムレンズ、レンチキュラーレンズ等）を重ねることにより画像が現れるドットパターンを構成するそれぞれのドットが、少なくとも２種類以上のスクリーン線数で、かつ、少なくとも２種類以上のスクリーン角度の網点から成る印刷物において、真正物であればドットパターンを構成するそれぞれのドットの網点面積率が同じであるため、レンズアレイを重ねることにより不可視画像が発現し、複写物の場合は、コピーすることによりスクリーン線数の大きさ又は網点角度で再現されるドットが潰れ、ドットの濃度が変化することにより前記不可視画像と異なる画像が発現する印刷物がある（例えば、特許文献２参照）。
【０００７】
また、海外の点位相変調（Dot phase modulation）の一例としては、アストロン・デザイン社（オランダ）のイソグラム（Isogram）がある（例えば、非特許文献１３４０頁参照）。これは、図２４（ａ）に示された印刷物のように、一見して均一な濃度を有する平坦な模様の中に、拡大すると図２４（ｂ）に示されたような微細な網点の位相によって不可視画像が施され、印刷物上に専用のシートを重ねると、図２４（ｃ）又は図２４（ｄ）に示されるようにネガポジ状のどちらかに可視画像化されたものである。しかし、これは、均一な濃度を有する平坦な模様故に、鮮明に画像を発現させることができない。
【０００８】
また、本願出願人等は、点位相変調（Dot phase modulation）を用いた印刷物に関する特許出願を行っている。これは、基材上に複数の等色の画素が規則的に配列されて二つの潜像模様が形成された潜像印刷物であって、前記複数の画素において、第１の方向に位相をずらして配列された第１の領域による第１の潜像模様（不可視画像）と、機能性を有するインキにより印刷された第２の領域による第２の潜像模様（不可視画像）とを有する（例えば、特許文献３参照）。
【０００９】
線位相変調（Line phase modulation）の一例としては、基材上に、線部と非線部を有し、同一ピッチ及び幅から成る万線パターンに対し、万線位相を２分の１ピッチずらして形成された潜像部を備えている複数種の潜像万線パターンが、それぞれ異なる角度で重ね合わされて印刷された潜像を有する印刷物であって、前記複数種の潜像万線パターンがそれぞれ色違いであることを特徴とする印刷物と、前記印刷物の万線パターンと同一ピッチのフィルムを前記複数種の不可視画像に重ね合わせることにより潜像部を可視画像化されたものがある（例えば、特許文献４参照）。
【００１０】
また、海外の線位相変調（Line phase modulation）を用いた印刷物には、ユラ社（ハンガリー）のＨＩＴ（Hidden Image Technology）がある（非特許文献１３４１頁参照）。図２５（ａ）に示されたように、一見して均一な濃度を有する平坦な模様の中に、拡大すると図２５（ｂ）に示されたような微細な万線の位相によって不可視画像が施され、印刷物上に専用のシートを重ねると、図２５（ｃ）又は図２５（ｄ）に示されるようにネガポジ状のどちらかに可視画像化されている。なお、図２５（ａ）の印刷物では通常視でも不可視画像が確認できてしまうおそれがあるため、図２５（ｂ）に示されたように、カムフラージュ模様として万線の一部の画線幅を変化させて可視画像を設けている。また、白抜き画線によって可視画像を設けても良い。ただし、このカムフラージュ模様は、専用のシートを重ねて不可視画像を可視画像化した際、カムフラージュ模様も可視画像として同時に発現しているので、不可視画像の発現時の視認性を阻害するという問題がある。
【００１１】
一般的に、点位相変調（Dot phase modulation）又は線位相変調（Line phase modulation）により形成された模様は、平坦な形状となっている。
【００１２】
また、画像形成シート上に、単位ブロック内をｍ列ｎ行に等形上分割した各々最小単位ブロックｂ１、ｂ２、ｂ３、ｂ４、・・・を、それぞれ１単位画素ｇ１、ｇ２、ｇ３、ｇ４、・・・とする各々潜像画像Ｇ１、Ｇ２、Ｇ３、Ｇ４、・・・が形成され、その単位画素ｇ１、ｇ２、ｇ３、ｇ４、・・・は、万線本数１本分以上の万線により構成される万線パターンであって、ピッチｐ１、ｐ２、ｐ３、ｐ４、・・・の各々万線ピッチｐと、角度θ１、θ２、θ３、θ４・・・の各々万線角度θの万線により構成される、異なる各々万線パターンのうち、いずれかの万線パターンにより構成された偽造防止用画像形成体であり、１単位画素ｇ１、ｇ２、ｇ３、ｇ４、・・・を構成する万線パターンと、同一の万線ピッチｐ及び万線角度θの万線により構成されるそれぞれ異なる万線パターンを、透明シートに形成した顕像化用の万線シートを重ね合わせることで、潜像画像Ｇ１、Ｇ２、Ｇ３、Ｇ４、・・・を顕像化するようにした偽造防止用画像形成体が提案されている（例えば、特許文献５参照）。
【００１３】
この特許文献５による偽造防止用画像形成体は、各々の単位画素において万線パターンのピッチ及び角度を異ならせることにより、複数の潜像画像を顕像化するものではあるが、可視画像としては、一様な背景模様としか表現できず、更に潜像画像を顕像化するためには、その潜像画像を構成する単位画素の万線パターンに合ったピッチ及び角度を要する透明シートが必要となり、複数の判別具を用意しなければならないという問題があった。
【００１４】
また、非特許文献２及び特許文献１〜５に示された技術は、常に判別具を携行する必要があり、仮に判別具が用意できない環境においては真贋判定ができないというデメリットがある。
【００１５】
一方、銀行券、株券、債券等の有価証券、各種証明書及び重要書類等では、古くから潜像凹版と呼ばれる偽造防止技術がある。この技術の特徴は、別途判別具を用意せずとも簡単に真偽判別できることである。この潜像凹版の原理は、凹版インキ等で盛り上がって印刷された画線を用いることで効果を奏するものである。例えば、図２６の印刷基材１１に示されたように、印刷模様１２の背景を成す画線群１３と潜像を成す画線群１４は９０度の２方向の差異を持った万線状の画線によって配置している。この印刷基材１１の印刷面を正面から見て観察した場合、施されている潜像模様「Ｐ」を容易に認識することができないが、図２７に示されたように、斜めから観察すると例えば凹版インキのような盛り上がった画線では画線群１３では隣り合う画線と視角によって重なり合うため実際の潜像部を成す画線群１３よりも低明度（高濃度）となる。これにより、潜像模様「Ｐ」が顕像となって出現する。また、２方向の万線状の画線でなくとも、凹版インキの盛り上がり高さ差異によって１方向の万線で実現することもできる（例えば、特許文献６参照）。
【００１６】
また、本願発明者らは、部分的に角度を異にすることによって図柄を表した各種万線模様、又はレリーフ模様、又は双方の模様のいずれかのエンボスによって形成された凹凸形
状を有する素材に、素材の色及び無色透明以外の異なった他の色のインキによって、一定な間隔を持つ各種万線画線、又は網点画線、又は双方の画線のいずれかを前述の凹凸形状の図柄以外の部分を構成する部分に対して平行又は傾斜を持たせて印刷することによって、正面から観察すると、該一定の間隔の直線で構成された各種万線画線、又は網点画線、又は双方の画線のいずれかのみが確認でき、斜めの方向から観察すると、該凹凸形状と、該一定な間隔を持つ印刷画線との間に生じる一定でない位置関係によって、該凹凸形状によって形成された図柄が容易に確認でき、逆の斜めの方向から観察すると、図柄の明暗が反転して確認できることを特徴とする潜像模様形成体をすでに出願している（特許文献７参照）。
【００１７】
この技術は、基材の凹凸形状を利用し、真偽の判別に際して、ある特定の方向から観察する時にのみ、特定の文字、図柄などを形成し、かつ極めて容易に特定の文字、図柄などの有無が認識でき、また、著しく偽造及び改ざんが困難な潜像模様形成体を作製、提供することができる。カラー複写機及び写真製版法による偽造では、凹凸形状の抽出ができず有色の印刷画線しか複製できないために文字、図柄などは認識ができない。この潜像模様形成体は、図柄が比較的大きく、使用面積の広い有価証券に利用され、すき入れによるものは大量に製造される貴重印刷製品への利用に特に有効である。
【先行技術文献】
【特許文献】
【００１８】
【特許文献１】特許第４１３２１２２号公報
【特許文献２】特許第４０１３４５０号公報
【特許文献３】特願２００７−４３１７１号公報
【特許文献４】特開２００４−１７４９９７号公報
【特許文献５】特開２００７−０１５１２０号公報
【特許文献６】実開平０２−１２１２６４号公報
【特許文献７】特許第２６１５４０１号公報
【非特許文献】
【００１９】
【非特許文献１】Optical Security and Counterfeit Deterrence Techniques IV Vol.4677 ( by SPIE-The International Society for Optical Engineering )
【発明の概要】
【発明が解決しようとする課題】
【００２０】
銀行券、株券、債券等の有価証券、各種証明書及び重要書類等では、印刷面上に数多くの偽造防止効果を有する画線が必要になる。しかしながら、印刷面には限りがあり、少ない印刷面積でも複数の真偽判別方法によって有効な作用を奏する偽造防止策が望まれている。
【００２１】
また、上述した従来の印刷物では、判別具を重ねる前に、あらかじめ潜像模様が視認されてしまうおそれがあった。また、あらかじめ潜像模様が視認されてしまう問題を防ぐためには、画線又は網点を小さくし、潜像模様と背景模様のずれ幅を少なくする必要があるが、このような構成にすると判別具を重ねた場合に潜像模様の視認性が劣ってしまう問題があった。また、印刷物の画線又は網点自体に指感性を有するものではなかった。
【００２２】
さらに、何らかの可視画像を設けたとしても、特許文献２に記載された印刷物のように単純な白抜き画線から成るため、不可視画像を発現させた時の視認性を阻害するという問題があった。さらに、特許文献５に記載された印刷物のように複数の判別具を必要とするものもあった。
【００２３】
本発明は、上記事情にかんがみ、複数の真偽判別方法によって偽造防止効果を奏することで、判別具を用いる場合と判別具を用いない場合とで簡単に真偽判別を可能とし、判別具を用いる場合にあっても、鮮明な発現が可能な不可視画像を形成するとともに、画線又は網点並びにずれ幅を小さくしなくとも判別具を重ねる前に、あらかじめ不可視画像が視認され難く、かつ、不可視画像を発現させた時に不可視画像以外の領域によって視認性が阻害されない偽造防止印刷物を提供することを目的とする。
【課題を解決するための手段】
【００２４】
本発明は、第１の不可視画像及び第２の不可視画像を備える偽造防止印刷物において、印刷基材に第１の幅と高さを有する第１の凸状の線と前記印刷基材に第２の幅と高さを有する第２の凸状の線が、同一のピッチでそれぞれ同一方向に配列され、前記第１の凸状の線のピッチの位相と前記第２の凸状の線のピッチの位相は、ずれを有して前記第１の不可視画像が形成され、前記第１の不可視画像は、第１の背景画像部と第１の潜像画像部を有し、前記第１の背景画像部は、前記第１の凸状の線又は前記第２の凸状の線のいずれか一方の線によって形成され、前記第１の潜像画像部は、他方の線によって形成され、前記第１の凸状の線の少なくとも一部上及び／又は前記第２の凸状の線の少なくとも一部上に、複数の画線が配列され、前記複数の画線は、第１の方向及び第２の方向に複数配列して形成され、前記第１の方向に配列される前記複数の画線は、前記第１の凸状の線及び前記第２の凸状の線と同一の方向に同一のピッチで配列され、前記第２の方向に配列される前記画線は、所定のピッチで配列された第１の画線と第２の画線に区分けされ、前記第１の画線のピッチの位相と前記第２の画線のピッチの位相は、ずれを有して前記第２の不可視画像が形成され、前記第２の不可視画像は、第２の背景画像部と第２の潜像画像部を有し、前記第２の背景画像部は、前記第１の画線又は前記第２の画線のいずれか一方の画線によって形成され、前記第２の潜像画像部は、他方の画線によって形成されたことを特徴とする偽造防止印刷物である。
【００２５】
また、本発明は、前記第２の方向に配列される前記画線は、前記画線同士の中心又は略中心を接続する接続画線を有し、前記接続画線の画線幅は、前記画線の画線幅よりも狭いことを特徴とする偽造防止印刷物である。
【００２６】
また、本発明は、前記第１の画線及び前記第２の画線は、マトリックス状に縦横隙間なく配置された第１の画線ユニット内及び第２の画線ユニット内に形成され、前記第１の画線ユニット及び前記第２の画線ユニットは同一の大きさから成り、前記第１の画線ユニット内に前記第１の画線が形成され、前記第２の画線ユニット内に前記第２の画線が形成され、前記第１の画線ユニット内に配置される前記第１の画線と、前記第２の画線ユニット内に配置される前記第２の画線の位置関係は、異なる位置に配置されることで位相ずれを有することを特徴とする偽造防止印刷物である。
【００２７】
また、本発明は、前記接続画線、前記第１の画線及び前記第２の画線は、マトリックス状に縦横隙間なく配置された第１の画線ユニット内及び第２の画線ユニット内に形成され、前記第１の画線ユニット及び前記第２の画線ユニットは同一の大きさから成り、前記第１の画線ユニット内に前記接続画線及び前記第１の画線が形成され、前記第２の画線ユニット内に前記接続画線及び前記第２の画線が形成され、前記第１の画線ユニット内及び前記２の画線ユニット内に配置される前記接続画線の位置は、前記ユニットの縦方向の１／２の位置からユニットの横方向に直線状に形成され、前記第１の画線ユニット内に配置される前記第１の画線と、前記第２の画線ユニット内に配置される前記第２の画線の位置関係は、異なる位置に配置されることで位相ずれを有することを特徴とする請求項２記載の偽造防止印刷物である。
【００２８】
また、本発明は、前記第２の不可視画像の輪郭領域は、あらかじめ前記第２の不可視画像が視認されないように、前記第１の画線の半分又は略半分の画線面積から成る第３の画線と、前記第２の画線の半分又は略半分の画線面積から成る第４の画線が形成されたことを特徴とする偽造防止印刷物である。
【００２９】
また、本発明は、前記第１の画線、前記第２の画線、前記第３の画線及び前記第４の画線は、マトリックス状に縦横隙間なく配置された第１の画線ユニット内、第２の画線ユニット内、第３の画線ユニット内及び第４の画線ユニット内に形成され、前記第１の画線ユニット及び前記第２の画線ユニットは同一の大きさから成り、前記第３の画線ユニット及び前記第４の画線ユニットは、前記第１の画線ユニット及び前記２の画線ユニットに対して、横方向に２倍の大きさの画線ユニットから成り、前記第１の画線ユニット内に前記第１の画線が形成され、前記第２の画線ユニット内に前記第２の画線が形成され、前記第３の画線ユニット内に前記第１の画線及び前記第３の画線が形成され、前記第４の画線ユニット内に前記第１の画線、前記第２の画線及び前記第４の画線が形成されていることを特徴とする偽造防止印刷物である。
【００３０】
また、本発明は、前記接続画線、前記第１の画線、前記第２の画線、前記第３の画線及び前記第４の画線は、マトリックス状に縦横隙間なく配置された第１の画線ユニット内、第２の画線ユニット内、第３の画線ユニット内及び第４の画線ユニット内に形成され、前記第１の画線ユニット及び前記第２の画線ユニットは同一の大きさから成り、前記第３の画線ユニット及び前記第４の画線ユニットは、前記第１の画線ユニット及び前記２の画線ユニットに対して、横方向に２倍の大きさの画線ユニットから成り、前記第１の画線ユニット内に前記接続画線及び前記第１の画線が形成され、前記第２の画線ユニット内に前記接続画線及び前記第２の画線が形成され、前記第３の画線ユニット内に前記接続画線、前記第１の画線及び前記第３の画線が形成され、前記第４の画線ユニット内に前記接続画線、前記第１の画線、前記第２の画線及び前記第４の画線が形成されていることを特徴とする偽造防止印刷物である。
【００３１】
また、本発明は、前記第１の画線ユニット内、前記第２の画線ユニット内、前記第３の画線ユニット内及び前記４の画線ユニット内に配置される前記接続画線の位置は、前記ユニットの縦方向の１／２の位置からユニットの横方向に直線状に形成され、前記第１の画線ユニット内に配置される前記第１の画線の位置は、前記第１の画線ユニットの中心に対して左側に配置され、前記第２の画線ユニット内に配置される前記第２の画線の位置は、前記第２の画線ユニットの中心に対して右側に配置され、前記第３の画線ユニット内に配置される前記第１の画線及び前記第３の画線の位置は、前記第３の画線ユニットの中心に対して左側に前記第３の画線が配置され、右側に前記第１の画線が配置され、前記第４の画線ユニット内に配置される前記第１の画線、前記第２の画線及び前記第４の画線の位置は、前記第３の画線ユニットの中心に対して左側に前記第１の画線が配置され、右側に前記第２の画線が配置され、中心又は略中心に前記第４の画線が配置されていることを特徴とする偽造防止印刷物である。
【００３２】
また、本発明は、前記第１の不可視画像は、前記第１の凸状の線及び前記第２の凸状の線が連続線で形成されたレリーフ状であることを特徴とする偽造防止印刷物である。
【００３３】
また、本発明は、前記第１の凸状の線及び前記第２の凸状の線が、透明インキ、前記印刷基材と同色のインキ、エンボス又はすき入れによって形成されたことを特徴とする偽造防止印刷物である。
【発明の効果】
【００３４】
本発明の偽造防止印刷物によれば、銀行券、株券、債券等の有価証券、各種証明書及び重要書類等の限られた印刷面上において、該印刷物上に備えられた第１の不可視画像と、第２の不可視画像とが、それぞれ２種類の真偽判別方法、すなわち判別具を用いない場合と判別具を用いる場合とでそれぞれに顕著な偽造防止効果を確認することができる。また、偽造防止技術を印刷する領域が限定されている貴重印刷物であっても、同一領域内に、顕在化する方法の異なる２種類の不可視画像を埋め込むことが可能であるため、セキュリティー性の高い印刷物と成り得る。
【００３５】
判別具を用いない方法としては、印刷物を正面から観察した際には、線画表現からなる模様の意匠性を損なわないように第１の不可視画像が形成されているが、印刷物を斜視にて観察することで第１の不可視画像が可視画像となって出現する偽造防止印刷物が提供されるとともに、画線自体に盛りを有する形態にすることで、指感性を有し、指感性の有無によって真偽判別ができる。
【００３６】
一方、判別具を用いる場合としては、濃度の不均衡を緩和する複数の画線を設けているため、画線又は網点並びにずれ幅を小さくしなくとも、判別具を重ねる前に、あらかじめ第２の不可視画像が視認されにくいため、偽造者に印刷物のどこに第２の不可視画像が形成されているか判断されにくいことから、容易に複製されることがない。
【００３７】
また、画線又は網点並びにずれ幅を小さくしなくとも、判別具を重ねる前に、あらかじめ第２の不可視画像が視認されにくいため、第２の不可視画像のネガ及びポジの領域に、所定のずれ幅を形成することが可能であるため、判別具を重ねた場合に鮮明な不可視画像を視認することができることから、真偽判別者が容易に真偽判別することができる。
【図面の簡単な説明】
【００３８】
【図１】印刷基材１における２種類の観察環境により、それぞれ異なる不可視画像を視認できる状態を示した説明図。
【図２】印刷基材１と判別具２を部分的に切り出して拡大表示した斜視図。
【図３】図１（ａ）で示された観察方向Ｔ１にて印刷模様３を真正面から見た状態が示された説明図及び図１（ａ）で示された観察方向Ｔ２にて印刷模様３を斜めから見た状態が示された説明図。
【図４】判別具２によって第２の不可視画像８ｂを可視化するための基本的な画線構成を部分的に拡大した説明図。
【図５】図４（ａ）の画線ユニットＡと、図４（ｂ）の画線ユニットＢを、印刷物上における印刷模様３中に、マトリクス状に縦横隙間なく、連続的に、かつ、規則的に配置される位置関係を示した説明図。
【図６】判別具２を、印刷模様３に、線Ｌ１と各レンズの中心線とが一致するように、判別具２を印刷基材１上の印刷模様３に重ね合わせ、正面から目視で観察した状態を示した説明図。
【図７】判別具２を、印刷模様３に、線Ｌ２と各レンズの中心線とが一致するように、判別具２を印刷基材１上の印刷模様３に重ね合わせ、正面から目視で観察した状態を示した説明図。
【図８】判別具２によって第２の不可視画像８ｂを可視化するための基本的な画線構成を部分的に拡大した説明図。
【図９】図８（ａ）の画線ユニットＣと、図８（ｂ）の画線ユニットＤを、第２の不可視画像８ｂの輪郭に配置される位置関係を示した説明図。
【図１０】印刷基材１と判別具２を部分的に切り出して拡大表示した斜視図。
【図１１】図１（ａ）で示された観察方向Ｔ１にて印刷模様３を真正面から見た状態が示された説明図及び図１（ａ）で示された観察方向Ｔ２にて印刷模様３を斜めから見た状態が示された説明図。
【図１２】判別具２によって第２の不可視画像８ｂを可視化するための基本的な画線構成を部分的に拡大した説明図。
【図１３】図１２（ａ）の画線ユニットＡと、図１２（ｂ）の画線ユニットＢと、図１２（ｃ）の画線ユニットＣと、図１２（ｄ）の画線ユニットＤとを、印刷物上における印刷模様３中に、マトリクス状に縦横隙間なく、連続的に、かつ、規則的に配置される位置関係を示した説明図。
【図１４】判別具２を、印刷模様３に、線Ｌ１と各レンズの中心線とが一致するように、判別具２を印刷基材１上の印刷模様３に重ね合わせ、正面から目視で観察した状態を示した説明図。
【図１５】判別具２を、印刷模様３に、線Ｌ２と各レンズの中心線とが一致するように、判別具２を印刷基材１上の印刷模様３に重ね合わせ、正面から目視で観察した状態を示した説明図。
【図１６】凸部４の形状を示した説明図。
【図１７】凸部４の形状を示した説明図。
【図１８】凸部４のずれの形状を示した説明図。
【図１９】第１の画線及び第２の画線の配置の説明図。
【図２０】第１の画線、第２の画線及び接続画線の配置の説明図。
【図２１】第１の画線及び第２の画線の画線形状の説明図。
【図２２】第３の画線及び第４の画線の配置の説明図。
【図２３】凸部４と画線５の重なる角度の関係の説明図。
【図２４】海外の点位相変調を用いた真偽判別方法の例。
【図２５】海外の線位相変調を用いた真偽判別方法の例。
【図２６】従来の潜像凹版と呼ばれる偽造防止技術の印刷面を正面から見て観察した場合の説明図。
【図２７】従来の潜像凹版と呼ばれる偽造防止技術の印刷面を傾けて観察した場合の説明図。
【発明を実施するための最良の形態】
【００３９】
本発明は、図１に示されたように印刷基材１における２種類の観察環境により、それぞれ異なる不可視画像を視認できる。図１（ａ）は、印刷基材１中に施された印刷模様３を斜めの角度にて観察した状態が示されたもので、図１（ｂ）は、印刷基材１中に施された印刷模様３に判別具２を重ね合わせて観察した状態が示されたものである。図１（ａ）に示された観察方向Ｔ１では、印刷模様３を真正面から見た可視画像６が視認され、図１（ａ）に示された観察方向Ｔ２では、第１の不可視画像８ａが可視画像として視認される。一方、図１（ｂ）に示された観察方向Ｔ１では、印刷基材１に判別具２を重ね合わすことによって、第２の不可視画像８ｂが可視画像として視認されるものである。この判別具２は、透明性を有するフィルタに複数の直線が万線状に一方向に沿って形成された万線フィルタ又はレンチキュラーレンズ等である。
【００４０】
以下、本発明の実施の形態１〜３による偽造防止用印刷物について、図面を用いて説明する。しかし、本発明は、以下に述べる実施の形態１〜３に限定されるものではなく、特許請求の範囲に記載された技術的思想の範囲内であれば、その他のいろいろな実施の形態が含まれる。
【００４１】
（１）実施の形態１
図１に示された作用を奏する印刷基材１上の構成について、図２を用いて詳細に説明する。図２は本発明における印刷基材１と判別具２を部分的に切り出して拡大表示した斜視図である。図２に示されたように印刷基材１の表面には任意の幅ｗ１と高さｈとを有する横線状の凸部４が備わっている。凸部４は、所定のピッチＰを成して縦方向に連続的に配置しているが、図２に示されたように、部分的に所定のピッチＰを保ちながら縦方向に位相ずれの関係を成している。この位相ずれは所定のピッチＰの約半分程度であることが好ましく、凸部４の幅ｗ１及び高さｈも特に限定するものではない。
【００４２】
さらに、印刷模様３を構成する画線５が凸部４と同じ所定のピッチを成して縦方向に連続的に配置して凸部上に印刷されている。この画線５の具体的な構成については後述にて詳細に説明する。
【００４３】
図３（ａ）は、図１（ａ）で示された観察方向Ｔ１にて印刷模様３を真正面から見た状態が示されたものであり、図１（ａ）で示された可視画像６が視認されたものである。印刷基材上において、凸部４が所定のピッチＰを成して縦方向に連続的に配置されている。この凸部４は印刷基材１と同色であるため、凸部４の位相ずれによってレリーフ状に形成し備えられた第１の不可視画像、例えばアルファベットの「Ａ」の文字について、観察者は容易にこれを視認できるものではない。さらに、凸部４上に凸部４と同じ所定のピッチを成して連続的に配置された画線５が印刷されている。これにより図３（ａ）は、図１（ａ）で示された観察方向Ｔ１と同じ可視画像６のみが視認されている。また、印刷基材１及び凸部４は白色または明度の高い色であることが望ましく、さらに、画線５の印刷色は色相、明度、彩度を何ら限定するものではないが、印刷基材１及び凸部４の明度よりも低い明度であり、かつ、その明度差が出来うる限り離れている（高コントラストである）ほうが望ましい。
【００４４】
図３（ｂ）は、図１（ａ）に示された観察方向Ｔ２にて印刷模様３を斜めから見た状態が示されたものであり、第１の不可視画像８ａが可視画像として視認されたものである。凸部４の高さｈにより、観察者から見て画線５は凸部４の手前斜面に印刷された部分と、凸部４背後斜面に印刷された部分とにそれぞれ分かれて観察される。すなわち、凸部４の位相ずれによって形成し備えられた第１の不可視画像、例えばアルファベットの「Ａ」が顕在化し可視画像の状態になる。これにより、観察者は印刷基材１を斜めから見ることによって第１の真贋判定を可能にするものである。
【００４５】
図４は、判別具２によって第２の不可視画像８ｂを可視化するための基本的な画線構成を部分的に拡大した説明図である。本発明は、図４（ａ）及び図４（ｂ）に示された画線ユニットＡ及び画線ユニットＢの２つのユニットで構成される。また、画線ユニットＡは接続画線５ｅ及び画線部５ａを備え、一方、画線ユニットＢは接続画線５ｅ及び画線部５ｂを備えている。画線ユニットＡ及び画線ユニットＢの横全長は、図１及び図２に示された判別具２に備わった溝の寸法Ｓと等しい。線Ｌ１及び線Ｌ２は、図１及び図２に示された判別具２に備わった溝の方向であり、線Ｌ１と線Ｌ２の距離は、寸法Ｓの約半分である。そして、図４（ａ）及び図４（ｂ）に示された画線ユニットＡ及び画線ユニットＢが、印刷物の表面上において横方向にオン・オフの一対の関係を成し、所望の規則をもって配置される。図４（ａ）及び図４（ｂ）に示された画線ユニットＡ及び画線ユニットＢにおける画線部５ａ及び画線部５ｂの形状は、図４に示された形状に限るものではなく、それ以外の形状であっても良い。画線部５ａ及び画線部５ｂの形状の一例を、図２１（ａ）乃至（ｆ）に示す。また、画線部５の幅ｗ２は任意であるが、ピッチＰの約半分を目安とされるものである。
【００４６】
図５は、図４（ａ）の画線ユニットＡと、図４（ｂ）の画線ユニットＢを、印刷物上における印刷模様３中に、マトリクス状に縦横隙間なく、連続的に、かつ、規則的に配置される位置関係を示した説明図である。これにより、画線ユニットＡと画線ユニットＢのいずれか一方が配置された領域が第２の不可視画像８ｂの画像部を形成し、他方が配置された領域が第２の不可視画像８ｂの背景部を形成するものである。なお、この図５では、第２の不可視画像８ｂが備わる部分、例えばアルファベットの「Ｂ」が分かるように太実線で簡易的に示したものである。
【００４７】
さらに、図１及び図２に示された例えばレンチキュラーレンズから成る判別具２を、印刷模様３に、線Ｌ１又は線Ｌ２と各レンズの中心線とが一致するように、判別具２を印刷基材１上の印刷模様３に重ね合わせ、正面から目視で観察した状態を図６及び図７に示す。レンチキュラーレンズの中心線７が図４における線Ｌ１と一致するように図６（ａ）に示された位置にあるとき、中心線７に位置するのは、画線部５ａとなっている。レンチキュラーレンズの特性によって中心線７に位置する画線部５ａが膨張して見えるため、第２の不可視画像８ｂが目視では図６（ｂ）に示されたようなポジ状の図形の可視画像となって発現する。また、レンチキュラーレンズの中心線７が図４における線Ｌ２と一致するように図７（ａ）に示された位置にあるとき、中心線７に位置するのは、画線部５ｂとなっている。レンチキュラーレンズの特性によって中心線７に位置する画線部５ｂが膨張して見えるため、第２の不可視画像８ｂが目視では図７（ｂ）に示されたようなネガ状の図形の可視画像となって発現する。すなわち、第２の不可視画像８ｂがネガポジ状のどちらかに見える可視画像となって発現する。
【００４８】
（２）実施の形態２（濃度緩和）
また、図１における第２の不可視画像８ｂにおいて、観察方向T１でより不可視の状態にさせるには、図４にて示された画線ユニットＡ、Ｂの他に、図８で示された画線ユニットＣ、Ｄを加えることが望ましい。すなわち、第２の不可視画像８ｂを構成する画線５において、図４で示された画線ユニットＡ及び画線ユニットＢと、図８で示された画線ユニットＣ及び画線ユニットＤとが所望の配置にて構成されることによって、一層の不可視化がなされるものである。
【００４９】
図４に示された画線ユニットＡ、Ｂに対し、図８に示された画線ユニットＣ、Ｄは、横方向において２倍の大きさである。図８（ａ）に示す画線ユニットＣには、画線部５ａ、画線部５ｃが配置され、図８（ｂ）に示す画線ユニットＤには、画線部５ａ、画線部５ｂ及び画線部５ｄが配置される。また、図８（ａ）の画線ユニットＣに配置された画線部５ｃは、同じく画線ユニットＣに配置された画線部５ａの半分又は略半分の画線面積である。さらに、画線部５ｃは、画線ユニットＣに配置された他方の画線部５ｂと画線部５ａの略中央に配置している。即ち、画線部５ｃの中心は、画線部５ａの中心からみて左側に寸法Ｓの約７５％の位置に配置されている。一方、図８（ｂ）の画線ユニットＤに配置された画線部５ｄは、同じく画線ユニットＤに配置された画線部５ａ又は画線部５ｂの半分又は略半分の画線面積である。さらに、画線部５ｄは、画線ユニットＤに配置された画線部５ａと画線部５ｂとの略中央に配置している。即ち、画線部５ｄの中心は、画線部５ａの中心からみて右側に寸法Ｓの約７５％の位置に配置されている。
【００５０】
上述したように、図５は、図４（ａ）の画線ユニットＡと、図４（ｂ）の画線ユニットＢを、印刷物上における印刷模様３中に、マトリクス状に縦横隙間なく、連続的かつ規則的に配置される位置関係を示した説明図である。なお、この図５では、第２の不可視画像８ｂが備わる部分が解るように太実線で簡易的に示したものである。そこでさらに、画線ユニットＡと画線ユニットＢに備わった画線群の連続性を保つため、図８（ａ）に示された画線ユニットＣと、図８（ｂ）に示された画線ユニットＤとを、第２の不可視画像８ｂの輪郭となる少なくとも一部に配置する。
【００５１】
図９は、所望の位置に配置するための条件に基づいて、印刷模様３上に画線ユニットＣと画線ユニットＤの位置が示された説明図である。まず、画線ユニットＣが配置される場所は、画線ユニットＡが右側で、画線ユニットＢが左側で水平方向（図１に示された画線５の長手方向）に隣接した条件の場所に画線ユニットＣが配置される。つまり、画線ユニットＣが配置される場所は、第２の不可視画像８ｂの輪郭となる左側に配置される。一方、画線ユニットＤが配置される場所は、画線ユニットＡが左側で、画線ユニットＢが右側で水平方向（図１に示された画線５の長手方向）に隣接した条件の場所に画線ユニットＤが配置される。つまり、画線ユニットＤが配置される場所は、第２の不可視画像８ｂの輪郭となる右側に配置される。これにより、第２の不可視画像８ｂの一層の不可視化が可能になるものである。
【００５２】
（３）実施の形態３
実施の形態１及び２では、図４に示された画線ユニットＡ、Ｂ及び／又は図８に示された画線ユニットＣ、Ｄがマトリクス状に縦横隙間なく配置されていることにより、画線５が横連結しているため、印刷模様３は万線状になっている。しかし、本発明の効果を奏する画線５の構成は、必ずしも万線状である必要はなく、所定のピッチを成して配置する点（ドット）で構成しても良い。
【００５３】
一方、印刷基材１上の凸部４は図２に示されたように、任意の幅ｗ１を保ちながら連続的な縦方向の位相ずれによってレリーフ状になっている。しかし、本発明の効果を奏する凸部４の構成は、必ずしもレリーフ状である必要はなく、所定のピッチを成して配置する半円立方体（蒲鉾形立体）で構成しても良い。
【００５４】
実施の形態３の構成について、図を用いて詳細に説明する。図１０は本発明における印刷基材１と判別具２を部分的に切り出して拡大表示した斜視図である。図１０に示されたように印刷基材１の表面には任意の幅ｗ１と高さｈとを有する横線状の凸部４が備わっている。凸部４は、所定のピッチＰを成して縦方向に連続的に配置しているが、図１０に示されたように、部分的に所定のピッチＰを保ちながら縦方向に位相ずれの関係を成している。この位相ずれは所定のピッチＰの約半分程度であって、凸部４の幅ｗ１及び高さｈも特に限定するものではない。さらに、印刷模様３を構成する画線５が凸部４と同じ所定のピッチを成して縦方向に連続的に配置して凸部上に印刷されている。この画線５の具体的な構成については後述にて詳細に説明する。
【００５５】
図１１（ａ）は、図１（ａ）で示された観察方向Ｔ１にて印刷模様３を真正面から見た状態が示されたものであり、図１（ａ）で示された可視画像６が視認されたものである。印刷基材上において、凸部４が所定のピッチＰを成して縦方向に連続的に配置されている。この凸部４は印刷基材１と同色であるため、凸部４の位相ずれによって所定のピッチを成して配置する半円立方体（蒲鉾形立体）となって形成し備えられた第１の不可視画像、例えばアルファベットの「Ａ」の文字について、観察者は容易にこれを視認できるものではない。さらに、凸部４上に凸部４と同じ所定のピッチを成して連続的に配置された画線５が印刷されている。これにより図１１（ａ）は、図１（ａ）で示された観察方向Ｔ１と同じ可視画像６のみが視認されている。また、印刷基材１及び凸部４は白色または明度の高い色であることが望ましく、さらに、画線５の印刷色は色相、明度、彩度を何ら限定するものではないが、印刷基材１及び凸部４の明度よりも低い明度であり、かつ、その明度差が出来うる限り離れている（高コントラストである）ほうが望ましい。
【００５６】
図１１（ｂ）は、図１（ａ）に示された観察方向Ｔ２にて印刷模様３を斜めから見た状態が示されたものであり、第１の不可視画像８ａが可視画像として視認されたものである。凸部４の高さｈにより、観察者から見て画線５は凸部４の手前斜面に印刷された部分と、凸部４背後斜面に印刷された部分とにそれぞれ分かれて観察される。すなわち、凸部４の位相ずれによって形成し備えられた第１の不可視画像、例えばアルファベットの「Ａ」が顕在化し可視画像の状態になる。これにより、観察者は印刷基材１を斜めから見ることによって第１の真贋判定を可能にするものである。
【００５７】
図１２は、判別具２によって第２の不可視画像８ｂを可視化するための基本的な画線構成を部分的に拡大した説明図である。本発明は、図１２（ａ）及び図１２（ｂ）に示された画線ユニットＡ及び画線ユニットＢの２つのユニットで構成される。また、画線ユニットＡはドット状の画線部５ａを備え、一方、画線ユニットＢはドット状の画線部５ｂを備えている。画線ユニットＡ及び画線ユニットＢの横全長は、図１及び図１０に示された判別具２に備わった溝の寸法Ｓと等しい。線Ｌ１及び線Ｌ２は、図１及び図１０に示された判別具２に備わった溝の方向であり、線Ｌ１と線Ｌ２の距離は、寸法Ｓの約半分である。そして、図１２（ａ）及び図１２（ｂ）に示された画線ユニットＡ及び画線ユニットＢが、印刷物の表面上において横方向にオン・オフの一対の関係を成し、所望の規則をもって配置される。
【００５８】
また、図１における観察方向Ｔ１でより不可視の状態にさせるには、図１２にて示された画線ユニットＡ、Ｂの他に、画線ユニットＣ、Ｄを加えることが望ましい。図１２に示された画線ユニットＡ、Ｂに対し、画線ユニットＣ、Ｄは、横方向において２倍の大きさである。図１２（ｃ）に示す画線ユニットＣには、ドット状の画線部５ａ、画線部５ｃとが配置され、図１２（ｄ）に示す画線ユニットＤには、ドット状の画線部５ａ、画線部５ｂ及び画線部５ｄが配置される。また、図１２（ｃ）の画線ユニットＣに配置された画線部５ｃは、画線ユニットＣに配置された画線部５ａの半分又は略半分の画線面積である。さらに、画線部５ｃは、画線ユニットＣに配置された他方の画線部５ｂと画線部５ａの略中央に配置している。即ち、画線部５ｃの中心は、画線部５ａの中心からみて左側に寸法Ｓの約７５％の位置に配置されている。一方、図１２（ｄ）の画線ユニットＤに配置された画線部５ｄは、同じく画線ユニットＤに配置された画線部５ａ又は画線部５ｂの半分又は略半分の画線面積である。さらに、画線部５ｄは、画線ユニットＤに配置された画線部５ａと画線部５ｂとの略中央に配置している。即ち、画線部５ｄの中心は、画線部５ａの中心からみて右側に寸法Ｓの約７５％の位置に配置されている。
【００５９】
図１３は、図１２（ａ）の画線ユニットＡと、図１２（ｂ）の画線ユニットＢが、印刷物上における印刷模様３中に、マトリクス状に縦横隙間なく、連続的かつ規則的に配置される位置関係を示した説明図である。画線ユニットＡと画線ユニットＢに備わった画線群の連続性を保つため、図１２（ｃ）に示された画線ユニットＣと、図１２（ｄ）に示された画線ユニットＤとを、第２の不可視画像８ｂの輪郭となる少なくとも一部に配置される。画線ユニットＣが配置される場所は、画線ユニットＡが右側で、画線ユニットＢが左側で水平方向（図１に示された画線５の長手方向）に隣接した条件の場所に画線ユニットＣが配置される。つまり、画線ユニットＣが配置される場所は、第２の不可視画像８ｂの輪郭となる左側に配置される。一方、画線ユニットＤが配置される場所は、画線ユニットＡが左側で、画線ユニットＢが右側で水平方向（図１に示された画線５の長手方向）に隣接した条件の場所に画線ユニットＤが配置される。つまり、画線ユニットＤが配置される場所は、第２の不可視画像８ｂの輪郭となる右側に配置される。これにより、第２の不可視画像８ｂ、例えばアルファベットの「Ｂ」の一層の不可視化が可能になるものである。
【００６０】
さらに、図１及び図１０に示された例えばレンチキュラーレンズから成る判別具２を、印刷模様３に、線Ｌ１又は線Ｌ２と各レンズの中心線とが一致するように、判別具２を印刷基材１上の印刷模様３に重ね合わせ、正面から目視で観察した状態を図１４及び図１５に示す。レンチキュラーレンズの中心線７が図１２における線Ｌ１と一致するように図１４（ａ）に示された位置にあるとき、中心線７に位置するのは、画線部５ａとなっている。レンチキュラーレンズの特性によって中心線７に位置する画線部５ａが膨張して見えるため、第２の不可視画像８ｂが目視では図１４（ｂ）に示されたようなポジ状の図形の可視画像となって発現する。また、レンチキュラーレンズの中心線７が図４における線Ｌ２と一致するように図１５（ａ）に示された位置にあるとき、中心線７に位置するのは、画線部５ｂとなっている。レンチキュラーレンズの特性によって中心線７に位置する画線部５ｂが膨張して見えるため、第２の不可視画像８ｂが目視では図１５（ｂ）に示されたようなネガ状の図形の可視画像となって発現する。すなわち、第２の不可視画像８ｂがネガポジ状のどちらかに見える可視画像となって発現する。
【００６１】
なお、実施の形態１乃至３では、図面に示された寸法Ｓを４０μｍとし、ピッチＰを５００μｍ、幅ｗ１を１５０μｍ、幅ｗ２を２００μｍとし、印刷模様３がオフセット印刷により上質紙に印刷されている。なお、これらの数値については、限定されるものではない。
【００６２】
また、印刷基材１に用いられる印刷媒体は上質紙、コート紙、プラスチックフィルム等、何ら制限するものはない。また、印刷基材１に形成される凸部４は、凹版印刷、スクリーン印刷、すき入れ、エンボス等で形成され、形成する手段については何ら限定されるものではない。凹版印刷、スクリーン印刷は、印刷媒体に転写されるインキの盛りによって凸部４が形成されるものである。インキの色彩は、印刷媒体と同色、同色（ΔＥが３以下）、透明又は乳白色で形成される。すき入れ、エンボスは、印刷媒体自体に凹凸を形成することによって凸部４が形成されるものである。
【００６３】
凸部４について詳細に説明する。凸部４のピッチＰは、１００μｍ〜１０００μｍ程度が好ましい。また、凸部４の所望の幅ｗ１は、６０μｍ〜６００μｍ程度が好ましい。凸部４は、図１６に示すように印刷基材１の表面のベースの高さより高く形成しても、図１７に示すように印刷基材１の表面のベースの高さより低く形成してもよい。凸部４の高さについては、５μｍ〜１００μｍ程度が好ましい。凸部４の形状については、図１６（ａ）及び図１７（ａ）に示すように三角形状、図１６（ｂ）及び図１７（ｂ）に示すように台形状、図１６（ｃ）及び図１７（ｃ）に示すように四角形状、図１６（ｄ）及び図１７（ｄ）に示すように蒲鉾状、図１６（ｅ）及び図１７（ｅ）に示すように直角三角形状等が挙げられる。断面形状については特に限定されるものではない。凸部４は、印刷基材１に第１の幅と高さを有する第１の凸状の線と第２の幅と高さを有する第２の凸状の線に区分けされる。第１の凸状の線と第２の凸状の線の幅と高さは同一であることが好ましい。第１の凸状の線と第２の凸状の線は、同一のピッチでそれぞれ同一方向に配列され、さらに、第１の凸状の線のピッチの位相と第２の凸状の線のピッチの位相は、ずれを有して第１の不可視画像８ａが形成される。
【００６４】
図１８（ａ）乃至（ｃ）に示すように第１の凸状の線８ａ１のピッチの位相と第２の凸状の線８ａ２のピッチの位相のずれは、１ピッチ未満のずれを有する必要があり、この位相ずれは所定のピッチＰの約半分程度であることが好ましい。また、図１８（ｄ）及び（ｅ）に示すように第１の凸状の線８ａ１と第２の凸状の線８ａ２を連結するための連結線８ａ３を形成することもできる。これによって、図１８（ｄ）に示すようにレリーフ形状の凸状の線となる。連結線８ａ３の角度は特に限定されるものではないが、３０〜９０°が好ましい。第１の凸状の線８ａ１の所望の幅又は第２の凸状の線８ａ２の所望の幅は、同一でも異なっていてもよい。ただし、第１の凸状の線８ａ１の所望の幅又は第２の凸状の線８ａ２の所望の幅は同一の方が好ましい。第１の凸状の線８ａ１の所望の幅又は第２の凸状の線８ａ２の所望の幅が異なる場合は、所定のピッチの範囲内で線幅の違いを形成する必要がある。第１の不可視画像は、第１の背景画像部と第１の潜像画像部を有し、記第１の背景画像部は、第１の凸状の線又は第２の凸状の線のいずれか一方の線によって形成され、第１の潜像画像部は、他方の線によって形成される。第１の凸状の線の少なくとも一部上及び／又は前記第２の凸状の線の少なくとも一部上には、第１の不可視画像８ａを顕在化するとともに、第２の不可視画像８ｂを形成するための複数の画線が配列される。
【００６５】
画線部５ａ及び画線部５ｂについて詳細に説明する。なお、画線部５ａを第１の画線５ａとし、画線部５ｂを第２の画線５ｂとする。図１９に示すように第１の画線５ａ及び第２の画線５ｂは、第１の方向及び第２の方向に複数配列して形成される。第１の方向に配列される第１の画線５ａ及び第２の画線５ｂは、第１の凸部状の線８ａ１及び第２の凸状の線８ａ２と同一の方向に同一のピッチで配列されている。所定のピッチで第２の方向に配列される第１の画線５ａと第２の画線５ｂは、ずれを有して前記第２の不可視画像８ｂが形成される。第２の不可視画像８ｂは、第２の背景画像部と第２の潜像画像部を有し、第２の背景画像部は、第１の画線又は前記第２の画線のいずれか一方の画線によって形成される。第１の画線５ａのピッチの位相と及び第２の画線５ｂのピッチの位相のずれは、１ピッチ未満のずれを有する必要があり、この位相ずれは所定のピッチＰの約半分程度であることが好ましい。第１の画線５ａ及び第２の画線５ｂのピッチＰは、１００μｍ〜１０００μｍ程度が好ましい。また、第１の画線５ａ及び第２の画線５ｂの画線幅は、６０μｍ〜６００μｍ程度が好ましい。
【００６６】
第１の画線５ａと第２の画線５ｂの画線形状は、図２１（ａ）及び（ｂ）に示す円形状、図２１（ｃ）乃至（ｅ）に示す多角形状、図２１（ｆ）に示す特殊形状等、特に限定されるものではない。ただし、画線の形状によっては、第２の不可視画像の視認性が低下するおそれがある。よって、第１の画線５ａと第２の画線５ｂの画線形状は、円形状、楕円形状、四角形状が好ましい。
【００６７】
接続画線５ｅについて詳細に説明する。第２の方向に配列される第１の画線５ａと第２の画線５ｂは、第２の方向に隣接する画線同士の中心又は略中心を接続する接続画線５ｅによって接続される。接続画線５ｅによって、第１の不可視画像の視認性が向上する。接続画線５ｅの画線幅は、第１の画線５ａと第２の画線５ｂの画線幅よりも狭い必要がある。接続画線５ｅの画線幅は、第１の画線５ａと第２の画線５ｂの画線幅の１／２程度が好ましい。
【００６８】
印刷模様３、第１の画線５ａ、第２の画線５ｂ及び接続画線５ｅを印刷媒体に転写するための手段は、インクジェットプリンタ、レーザプリンタ、オフセット印刷等、凸部４の高さｈに影響を及ぼさない範囲であれば何ら限定するものではない。
【００６９】
図２２（ａ）及び図２２（ｂ）に示すように第２の不可視画像の輪郭領域は、あらかじめ第２の不可視画像が視認されないように、第１の画線の半分又は略半分の画線面積から成る第３の画線５ｃと、第２の画線の半分又は略半分の画線面積から成る第４の画線５ｄが形成することができる。
【００７０】
なお、図２３（ａ）に示すように凸部４（第１の凸状の線８ａ１、第２の凸状の線８ａ２）の線方向と、第１の画線５ａ、第２の画線５ｂ及び接続画線５ｅの第２の方向は、同一であることが好ましいが、図２３（ｂ）に示すように±３°程度ずれを有していても本発明の効果を得ることができる。
【符号の説明】
【００７１】
１            印刷基材
２            判別具
３            印刷模様
４            凸部、第１の凸状の線、第２の凸状の線
５            画線
５ａ            画線部、第１の画線
５ｂ            画線部、第２の画線
５ｃ            画線部、第３の画線
５ｄ            画線部、第４の画線
５ｅ    接続画線
６            可視画像
７            中心線
８ａ            不可視画像、第１の不可視画像
８ａ１            第１の凸状の線
８ａ２            第２の凸状の線
８ａ３            連結線
８ｂ            不可視画像、第２の不可視画像
１１            印刷基材
１２            印刷模様
１３            画線群
１４            画線群
Ａ            画線ユニット
Ｂ            画線ユニット
Ｃ            画線ユニット
Ｄ            画線ユニット
ｈ            高さ
Ｌ１            線
Ｌ２            線
Ｐ            ピッチ
Ｓ            寸法
Ｔ１            観察方向
Ｔ２            観察方向
ｗ１            凸部４の幅
ｗ２            画線５の幅
【図１】
0005527528.tif 000002
【図２】
0005527528.tif 000003
【図３】
0005527528.tif 000004
【図４】
0005527528.tif 000005
【図５】
0005527528.tif 000006
【図６】
0005527528.tif 000007
【図７】
0005527528.tif 000008
【図８】
0005527528.tif 000009
【図９】
0005527528.tif 000010
【図１０】
0005527528.tif 000011
【図１１】
0005527528.tif 000012
【図１２】
0005527528.tif 000013
【図１３】
0005527528.tif 000014
【図１４】
0005527528.tif 000015
【図１５】
0005527528.tif 000016
【図１６】
0005527528.tif 000017
【図１７】
0005527528.tif 000018
【図１８】
0005527528.tif 000019
【図１９】
0005527528.tif 000020
【図２０】
0005527528.tif 000021
【図２１】
0005527528.tif 000022
【図２２】
0005527528.tif 000023
【図２３】
0005527528.tif 000024
【図２４】
0005527528.tif 000025
【図２５】
0005527528.tif 000026
【図２６】
0005527528.tif 000027
【図２７】
0005527528.tif 000028